【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
第１の機器においてマークアップ言語を用いて記述された文書データを第２の機器で解釈し、解釈された情報を表示する情報処理方法であって、
前記第２の機器で所定の情報を表示するための文書データを前記第１の機器においてマークアップ言語を用いて作成する作成工程と、
前記文書データ内に所定の鍵情報に対応付けた隠し情報を埋め込む埋め込み工程と、
前記第２の機器において、前記マークアップ言語で記述された前記文書データを解釈して解釈された情報を表示する表示工程と、
所定の鍵情報を取得する取得工程と、
前記鍵情報を認証する認証工程と、
前記鍵情報の認証結果に基づいて前記隠し情報を出力する出力工程と
を有することを特徴とする情報処理方法。
【請求項２】
前記埋め込み工程が、前記文書データの一部又は全部を指定し、該文書データの指定部分に係る情報に対応させて前記隠し情報を埋め込むことを特徴とする請求項１に記載の情報処理方法。
【請求項３】
前記出力工程が、前記表示工程によって表示された前記情報のうち前記文書データの指定部分に係る情報を前記隠し情報に置き換えて表示することを特徴とする請求項２に記載の情報処理方法。
【請求項４】
前記隠し情報がテキストデータであることを特徴とする請求項１から３までのいずれか１項に記載の情報処理方法。
【請求項５】
前記文書データを記述するマークアップ言語がＨＴＭＬ拡張タグであることを特徴とする請求項１から４までのいずれか１項に記載の情報処理方法。
【請求項６】
前記表示工程による前記情報の表示後に、所定の操作を受け付ける操作受付工程と、
前記操作受付工程によって前記所定の操作が受け付けられたことを条件として前記鍵情報の入力を要求する要求工程とをさらに有し、
前記取得工程が、前記要求工程によって要求された前記鍵情報を取得する
ことを特徴とする請求項１から５までのいずれか１項に記載の情報処理方法。
【請求項７】
前記埋め込み工程が、前記鍵情報に対応させた所定の画像データを隠し情報として前記文書データ内に埋め込み、
前記出力工程が、前記鍵情報の認証結果に基づいて前記画像データを表示する
ことを特徴とする請求項１から６までのいずれか１項に記載の情報処理方法。
【請求項８】
前記埋め込み工程が、前記鍵情報に対応させた所定の音声データを隠し情報として前記文書データ内に埋め込み、
前記出力工程が、前記認証工程による前記鍵情報の認証結果に基づいて前記音声データを出力する
ことを特徴とする請求項１から６までのいずれか１項に記載の情報処理方法。
【請求項９】
前記情報を表示する機器が前記文書データ中の前記マークアップ言語を直接表示可能なブラウザ環境を備える機器であるか否かを判定する判定工程と、
前記機器が前記ブラウザ環境を備える機器であると判定された場合、前記文書内の鍵情報、又は前記文書データに埋め込まれた前記隠し情報を削除する削除工程と
をさらに有することを特徴とする請求項１から８までのいずれか１項に記載の情報処理方法。
【請求項１０】
マークアップ言語を用いて文書データを記述する第１の機器と、前記文書データを解釈して解釈された情報を表示する第２の機器を備える情報処理システムであって、
前記第１の機器が、
所定の情報を表示するための文書データをマークアップ言語を用いて作成する作成手段と、
前記文書データ内に所定の鍵情報に対応付けた隠し情報を埋め込む埋め込み手段と、
前記隠し情報が埋め込まれた前記文書データを前記第２の機器に送信する送信手段とを備え、
前記第２の機器が、
前記第１の機器から前記隠し情報が埋め込まれた前記文書データを受信する受信手段と、
前記マークアップ言語で記述された前記文書データを解釈して解釈された情報を表示する表示手段と、
所定の鍵情報を取得する取得手段と、
前記鍵情報を認証する認証手段と、
前記鍵情報の認証結果に基づいて前記隠し情報を出力する出力手段とを備えることを特徴とする情報処理システム。
【請求項１１】
文書データをマークアップ言語を用いて作成する作成手段と、
前記文書データ内に所定の鍵情報に対応付けた隠し情報を埋め込む埋め込み手段と、
前記隠し情報が埋め込まれた前記文書データを送信する送信手段と
を備えることを特徴とする情報処理装置。
【請求項１２】
他装置から所定の鍵情報に対応づけられた隠し情報が埋め込まれた文書データを受信する受信手段と、
前記マークアップ言語で記述された前記文書データを解釈して解釈された情報を表示する表示手段と、
鍵情報を取得する取得手段と、
前記鍵情報を認証する認証手段と、
前記鍵情報の認証結果に基づいて前記隠し情報を出力する出力手段と
を備えることを特徴とする情報処理装置。
【請求項１３】
文書データをマークアップ言語を用いて作成する作成手順と、
前記文書データ内に所定の鍵情報に対応付けた隠し情報を埋め込む埋め込み手順と、
前記隠し情報が埋め込まれた前記文書データを送信する送信手順と
をコンピュータに実行させるためのプログラム。
【請求項１４】
他装置から所定の鍵情報に対応づけられた隠し情報が埋め込まれた文書データを受信する受信手順と、
前記マークアップ言語で記述された前記文書データを解釈して解釈された情報を表示する表示手順と、
鍵情報を取得する取得手順と、
前記鍵情報を認証する認証手順と、
前記鍵情報の認証結果に基づいて前記隠し情報を出力する出力手順と
をコンピュータに実行させるためのプログラム。
【請求項１５】
請求項１３又は１４に記載のプログラムを格納したことを特徴とするコンピュータ読み取り可能な記録媒体。
【手続補正２】
【補正対象書類名】明細書
【補正対象項目名】０００７
【補正方法】変更
【補正の内容】
【０００７】
【課題を解決するための手段】
上記課題を解決するために、本発明は、第１の機器においてマークアップ言語を用いて記述された文書データを第２の機器で解釈し、解釈された情報を表示する情報処理方法であって、
前記第２の機器で所定の情報を表示するための文書データを前記第１の機器においてマークアップ言語を用いて作成する作成工程と、
前記文書データ内に所定の鍵情報に対応付けた隠し情報を埋め込む埋め込み工程と、
前記第２の機器において、前記マークアップ言語で記述された前記文書データを解釈して解釈された情報を表示する表示工程と、
所定の鍵情報を取得する取得工程と、
前記鍵情報を認証する認証工程と、
前記鍵情報の認証結果に基づいて前記隠し情報を出力する出力工程と
を有することを特徴とする。
【手続補正３】
【補正対象書類名】明細書
【補正対象項目名】０００９
【補正方法】変更
【補正の内容】
【０００９】
さらに、上記情報処理方法は、前記出力工程が、前記表示工程によって表示された前記情報のうち前記文書データの指定部分に係る情報を前記隠し情報に置き換えて表示することを特徴とする。
【手続補正４】
【補正対象書類名】明細書
【補正対象項目名】００１０
【補正方法】変更
【補正の内容】
【００１０】
さらにまた、本発明は、マークアップ言語を用いて文書データを記述する第１の機器と、前記文書データを解釈して解釈された情報を表示する第２の機器を備える情報処理システムであって、
前記第１の機器が、
所定の情報を表示するための文書データをマークアップ言語を用いて作成する作成手段と、
前記文書データ内に所定の鍵情報に対応付けた隠し情報を埋め込む埋め込み手段と、
前記隠し情報が埋め込まれた前記文書データを前記第２の機器に送信する送信手段とを備え、
前記第２の機器が、
前記第１の機器から前記隠し情報が埋め込まれた前記文書データを受信する受信手段と、
前記マークアップ言語で記述された前記文書データを解釈して解釈された情報を表示する表示手段と、
鍵情報を取得する取得手段と、
前記鍵情報を認証する認証手段と、
前記鍵情報の認証結果に基づいて前記隠し情報を出力する出力手段とを備えることを特徴とする。
【手続補正５】
【補正対象書類名】明細書
【補正対象項目名】００１１
【補正方法】変更
【補正の内容】
【００１１】
さらにまた、本発明に係る情報処理装置は、
文書データをマークアップ言語を用いて作成する作成手段と、
前記文書データ内に所定の鍵情報に対応付けた隠し情報を埋め込む埋め込み手段と、
前記隠し情報が埋め込まれた前記文書データを送信する送信手段
と
を備えることを特徴とする。
【手続補正６】
【補正対象書類名】明細書
【補正対象項目名】００１２
【補正方法】変更
【補正の内容】
【００１２】
さらにまた、本発明に係る情報処理装置は、他装置から所定の鍵情報に対応づけられた隠し情報が埋め込まれた文書データを受信する受信手段と、
前記マークアップ言語で記述された前記文書データを解釈して解釈された情報を表示する表示手段と、
鍵情報を取得する取得手段と、
前記鍵情報を認証する認証手段と、
前記鍵情報の認証結果に基づいて前記隠し情報を出力する出力手段と
を備えることを特徴とする。